(57)【要約】【課題】光源部から照射される光が直接画像取り込み部に入射することを防止しつつ、孔の内面を十分な照度に照らし出すことができる孔内の検査用プローブおよび検査装置を提供することによって、孔の内面の形成状態を的確に把握できるようにする。【解決手段】ファイバースコープ１６と、サヤ管１７と、を備える給油孔３内の検査用プローブ７であって、挿入部２２の先端部２２ａには、挿入部２２の軸心方向に対して、略垂直な方向に視野を有する画像取り込み部２４と、画像取り込み部２４の視野に対して、光を照射する光源部２５とが備えられ、挿入部２２を、挿通孔１７ｄに挿通するとともに、サヤ管１７によって、画像取り込み部２４と光源部２５とが配置される挿入部２２の先端部２２ａを、サヤ管１７の軸心から、前記視野の方向に対して垂直な方向にオフセットした状態でサヤ管１７の外部に露出させて保持する。【選択図】図９
2011008020.tif 000002
【特許請求の範囲】
【請求項１】
可撓性を有するケーブル状の部位であり撮影対象たる孔に挿入される挿入部を有するファイバースコープと、
前記挿入部が挿通可能な孔である挿通孔が形成されるサヤ管と、
を備えた孔内の検査用プローブであって、
前記挿入部の先端部には、
前記孔の内面の映像を取り込むための部位であって、前記挿入部の軸心方向に対して、略垂直な方向に視野を有する画像取り込み部と、
前記孔の内面に光を照射するための部位であって、前記画像取り込み部の視野に対して、前記光を照射する光源部とが備えられ、
前記挿入部を、
前記挿通孔に挿通するとともに、
前記サヤ管によって、
前記画像取り込み部と前記光源部とが配置される前記挿入部の前記先端部を、
前記サヤ管の軸心から、前記視野の方向に対して垂直な方向にオフセットした状態で前記サヤ管の外部に露出させて保持する、
ことを特徴とする孔内の検査用プローブ。
【請求項２】
前記先端部を、
前記サヤ管において該サヤ管の軸心からオフセットして形成する、前記先端部を保持するための保持孔に挿通して、保持する、
ことを特徴とする請求項１に記載の孔内の検査用プローブ。
【請求項３】
請求項１または請求項２に係る前記検査用プローブと、
該検査用プローブを、
前記サヤ管の軸心方向に往復変位させる往復変位手段と、
前記検査用プローブを、
前記サヤ管の軸心周りに回転させる回転駆動手段と、
を備える、
ことを特徴とする検査装置。
【発明の詳細な説明】
【技術分野】
【０００１】
本発明は、孔内の検査に用いる検査用プローブおよび該検査用プローブを備える検査装置の技術に関する。
【背景技術】
【０００２】
従来、目視では視認することができない程度の細さに形成された孔の内面を確認するための装置として、ボアスコープやファイバースコープ等の装置が開発されており、広く採用されている。これらの装置を用いることによって、孔の内面の状態（即ち、傷の有無や残留物の有無等）を視認により確認したり、あるいは、孔の内面の画像を撮影したりすることが可能になる。
【０００３】
ところで、従来の孔の内面を検査するための装置は、孔に挿入可能なプローブ部を備えており、該プローブ部の先端部分には、孔の内面の画像を取得するための画像取り込み部と、孔の内面を光を照射するための光源部が備えられている。
そして、孔の内面を撮影するためには、光源部によって光を照射することによって、孔の内面を一定以上の照度として、これにより、孔の内面の視認および画像の撮影が可能となるものである。しかしながら、光源部から照射された光が孔の内面で反射して、直接画像取り込み部に入射すると、撮影した画像にハレーションが発生し、孔の内面の視認および画像の撮影がうまくできないという問題があった。尚、ハレーションとは、強い光を撮影したときに、その光の周囲の画像がぼやける現象をいう。
【０００４】
そこで、このようなハレーションを防止するための技術として、例えば、以下の特許文献１に示す技術が知られており、公知となっている。
特許文献１に示された従来技術では、光源部において発生した光を導くための導光体を備える構成としており、これにより、導光体の内部で光を拡散させて、画像取り込み部に対して直接入射する反射光を低減することができる。
【先行技術文献】
【特許文献】
【０００５】
【特許文献１】特開２００７−１３００４８号公報
【発明の概要】
【発明が解決しようとする課題】
【０００６】
しかしながら、特許文献１に示された従来技術では、ハレーションの発生を防止することはできるが、孔の内面の照度が不足してしまい、結局孔の内面がうまく視認および撮影できない場合があった。
本発明は、このような現状の課題を鑑みてなされたものであり、光源部から照射される光が直接画像取り込み部に入射することを防止しつつ、孔の内面を十分な照度に照らし出すことができる孔内の検査用プローブおよび検査装置を提供することによって、孔の内面の状態を的確に把握できるようにすることを目的としている。
【課題を解決するための手段】
【０００７】
本発明の解決しようとする課題は以上の如くであり、次にこの課題を解決するための手段を説明する。
【０００８】
即ち、請求項１においては、可撓性を有するケーブル状の部位であり撮影対象たる孔に挿入される挿入部を有するファイバースコープと、前記挿入部が挿通可能な孔である挿通孔が形成されるサヤ管と、を備えた孔内の検査用プローブであって、前記挿入部の先端部には、前記孔の内面の映像を取り込むための部位であって、前記挿入部の軸心方向に対して、略垂直な方向に視野を有する画像取り込み部と、前記孔の内面に光を照射するための部位であって、前記画像取り込み部の視野に対して、前記光を照射する光源部とが備えられ、前記挿入部を、前記挿通孔に挿通するとともに、前記サヤ管によって、前記画像取り込み部と前記光源部とが配置される前記挿入部の前記先端部を、前記サヤ管の軸心から、前記視野の方向に対して垂直な方向にオフセットした状態で前記サヤ管の外部に露出させて保持するものである。
【０００９】
請求項２においては、前記先端部を、前記サヤ管において該サヤ管の軸心からオフセットして形成する、前記先端部を保持するための保持孔に挿通して、保持するものである。
【００１０】
請求項３においては、請求項１または請求項２に係る前記検査用プローブと、該検査用プローブを、前記サヤ管の軸心方向に往復変位させる往復変位手段と、前記検査用プローブを、前記サヤ管の軸心周りに回転させる回転駆動手段と、を備えるものである。
【発明の効果】
【００１１】
本発明の効果として、以下に示すような効果を奏する。
【００１２】
請求項１においては、孔の内面を光源部によって十分な照度で照らし出すことができるとともに、光源部から照射した光が、孔の内面で反射して直接画像取り込み部に入射することが確実に防止できる。これにより、ハレーションの発生が防止でき、孔の内面の状態を的確に把握することができる。
【００１３】
請求項２においては、挿入部を、測定対象たる孔の軸心に対して容易にオフセットさせることができる。
【００１４】
請求項３においては、ハレーションの発生がない状態で孔の内面の画像を撮影することができ、的確に孔の内面の状態を検査することができる。
【図面の簡単な説明】
【００１５】
【図１】本発明の一実施例に係る検査装置の全体構成を示す模式図。
【図２】本発明の一実施例に係る検査装置における検査用プローブの支持状態を示す模式図。
【図３】本発明の一実施例に係る検査用プローブを示す模式図。
【図４】本発明の一実施例に係る検査用プローブを構成するファイバースコープを示す模式図。
【図５】本発明の一実施例に係る検査用プローブを構成するサヤ管を示す模式図、（ａ）サヤ管の全体構成を示す模式図、（ｂ）サヤ管の全体構成を示す断面模式図、（ｃ）キャップの別実施態様を示す模式図。
【図６】本発明の一実施例に係る検査用プローブにおけるキャップと孔との関係を示す模式図。
【図７】本発明の一実施例に係る検査用プローブを構成するサヤ管の取付治具を示す模式図。
【図８】本発明の一実施例に係る検査用プローブにおけるサヤ管の取り付け状態および孔に対するサヤ管の挿入状態を示す断面模式図。
【図９】本発明の一実施例に係る検査用プローブにおける光源部から照射した光の反射状態を示す模式図。
【図１０】従来の検査用プローブ（ファイバースコープ）における光源部から照射した光の反射状態を示す模式図、（ａ）軸心方向視における模式図、（ｂ）側面方向視における模式図。
【図１１】本発明の一実施例に係る検査装置における孔内面の撮影状況を示す模式図、（ａ）撮影状況を示す平面および側面断面模式図、（ｂ）生成した孔内面の展開図を示す模式図。
【発明を実施するための形態】
【００１６】
次に、発明の実施の形態を説明する。
まず始めに、本発明の一実施例に係る検査装置について、図１および図２を用いて説明をする。
図１に示す如く、本発明の一実施例に係る検査装置１は、検査者が目視では確認することが困難な孔の内面の画像を撮影することができる装置であり、また、撮影した画像に基づいて、孔の内面における傷の有無や切粉等の残留物の有無を検査することができる装置である。
【００１７】
本実施例に示す検査装置１は、エンジンを構成するシリンダブロック２に形成される給油孔３の内部（内面）を検査する用途に用いられる装置であり、フレーム４、往復変位装置５、回転駆動装置６、検査用プローブ７、制御装置８等を備えている。尚、本発明に係る検査装置の用途はこれに限定するものではなく、検査対象物の種類を問わず、孔の内面の検査の用途に広く適用することができる。
【００１８】
図１および図２に示す如く、フレーム４は、検査装置１の各構成物品を支持するための構造体を形成する部位であり、フレーム本体４ａおよび支持脚４ｂ・４ｂ・・・等からなる構成としている。そしてフレーム４は、検査対象物であるシリンダブロック２との関係において、相対的な姿勢および位置が所定の配置となるよう位置決めして配置される。
【００１９】
本実施例では、フレーム４を、シリンダブロック２の搬送経路たるコンベア１０を跨ぐ態様で配置し、フレーム本体４ａの下方において、コンベア１０によって所定の姿勢で搬送されてくるシリンダブロック２を所定の位置で位置決めして停止させることによって、フレーム本体４ａとシリンダブロック２の相対的な姿勢および位置を所定の配置状態に保持する構成としている。
【００２０】
尚、本発明に係る検査装置におけるフレームの配置態様は、本実施例の態様に限定されるものではなく、フレームが、検査対象物に対して側方や下方に配置される態様であってもよい。また、所定の姿勢で停止している検査対象物に対して、フレームを変位させるとともに位置決めして停止させることによって、フレームと検査対象物との相対的な位置および姿勢を所定の配置状態に保持する構成とすることも可能である。
【００２１】
そして、フレーム４とシリンダブロック２が所定の配置状態に保持されているときには、フレーム４から突設されるガイドブッシュ１１が、検査対象部位となる給油孔３に対応する位置に配置される。ガイドブッシュ１１は、いわゆる姿見の役割を果たす部位であり、ステー１１ｂを介してフレーム４に固定されている。また、ガイドブッシュ１１には、後述するサヤ管１７を挿入する位置の基準となる孔１１ａが形成されている。
【００２２】
そして、ガイドブッシュ１１は、フレーム４とシリンダブロック２が所定の配置状態に保持された状態において、ガイドブッシュ１１の孔１１ａの軸心と、シリンダブロック２の給油孔３の軸心を一致させるようにして、シリンダブロック２から一定距離だけ離間した位置に配置される。
【００２３】
これにより、孔１１ａの軸心に沿ってガイドブッシュ１１に挿入される部材は、確実にシリンダブロック２の給油孔３に沿って挿入されることになる。
つまり、ガイドブッシュ１１を用いることによって、給油孔３に対する芯出し作業を容易に行うことが可能になる。
【００２４】
図１および図２に示す如く、往復変位装置５は、フレーム本体４ａに対して後述する回転駆動装置６を支持する役割を果たすとともに、該回転駆動装置６を往復変位させることができる部位であり、ガイドレール５ａ、支持部５ｂ、モータ５ｃ等を備えている。
【００２５】
往復変位装置５は、モータ５ｃにより発生する回転力をガイドレール５ａに対して平行な方向への直線的な変位に変換する機構を備えており、モータ５ｃを駆動することによって、ガイドレール５ａ上に支持される支持部５ｂをガイドレール５ａに沿って、往復方向に変位させることができる装置である。
尚、本発明に係る検査装置に備えられる往復変位装置の構成は、本実施例の構成に限定するものではなく、例えば、駆動源としてアクチュエータを採用し、該アクチュエータの伸縮作用を利用して、往復変位を実現する構成とすることも可能である。
【００２６】
また、往復変位装置５は、ガイドレール５ａが、フレーム４に対して支持軸１２によって、回動可能に支持されており、フレーム４に対する往復変位装置５の仰角を自由に変更することが可能であるとともに、一定の仰角を成す状態を保持することが可能な構成としている。
【００２７】
回転駆動装置６は、往復変位装置５に対して、後述する検査用プローブ７を支持する役割を果たすとともに、該検査用プローブ７を軸心回りに回転駆動することができる装置であり、本体部６ａ、駆動モータ６ｂ、駆動ギア６ｃ、従動ギア６ｄ等からなる構成としている。
【００２８】
本体部６ａは、回転駆動装置６を往復変位装置５に対して固定するための基部６ｅと、該基部６ｅから立設され、検査用プローブ７および駆動モータ６ｂのモータ軸６ｆを支持するための各孔６ｇ・６ｈが形成される支持部６ｊと、該支持部６ｊから突設される駆動モータ６ｂを支持するためのプレート部６ｋ等を備えている。
【００２９】
そして、本体部６ａの孔６ｇにおいて、ベアリング１３・１３・・・および介設部材１４・１５等を介して検査用プローブ７を回転可能に支持し、本体部６ａの孔６ｈにおいて、ベアリング１３・１３・・を介してモータ軸６ｆを回転可能に支持する構成としている。
【００３０】
そして、介設部材１４上に固設される従動ギア６ｄは、モータ軸６ｆ上に固設される駆動ギア６ｃと噛合している。
これにより、駆動モータ６ｂを駆動することによって、駆動ギア６ｃが回転し、この回転力が、従動ギア６ｄを介して検査用プローブ７に伝達されるため、検査用プローブ７を回転駆動することができる。
【００３１】
尚、本発明に係る検査装置に備えられる回転駆動機構の構成は、本実施例の構成に限定されるものではなく、例えば、駆動モータによる回転駆動力を、Ｖベルトを介して検査用プローブに伝達する構成とする等、その他様々な構成である回転駆動機構を採用することができる。
【００３２】
検査用プローブ７は、サヤ管１７を備えており、該サヤ管１７の軸心を、従動ギア６ｄの回転軸心に一致させた状態で、回転駆動装置６に対して、回転可能な状態で支持されている。そして、検査用プローブ７は、往復変位装置５によって、ガイドレール５ａに沿って、往復変位可能な状態で支持されている。
【００３３】
図１に示す如く、制御装置８は、往復変位装置５、回転駆動装置６、検査用プローブ７等と接続されている。そして、制御装置８によって、往復変位装置５および回転駆動装置６の動作を制御することにより、検査用プローブ７の位置（即ち、サヤ管１７の挿入位置および挿入深さ）や回転角度（即ち、サヤ管１７の回転位相）等を調整することができる。
【００３４】
また、検査用プローブ７によって撮影された給油孔３の内面の画像は、制御装置８に取り込まれ、制御装置８によって、撮影した画像データの表示・解析・保存等を行うことができる。具体的には、制御装置８によれば、サヤ管１７の回転位相が異なる角度として撮影した複数の画像データを結合することができ、これにより、給油孔３内面の展開図（図１０参照）を生成することが可能である。
【００３５】
ここで、本発明の一実施例に係る検査装置に備えられる検査用プローブについて、図３〜図８を用いて説明をする。
図３に示す如く、検査用プローブ７は、ファイバースコープ１６、サヤ管１７、取付治具１８、マウント部１９、ラインセンサカメラ２０等によって構成されている。
【００３６】
図４に示す如く、ファイバースコープ１６は、本体部２１、挿入部２２、光源装置２３等からなる装置であり、挿入部２２の先端部２２ａには、画像取り込み部２４、光源部２５を備えている。
【００３７】
本体部２１は、内部に光を伝達するためのファイバ芯線等が収容されており、この各種のファイバ芯線は挿入部２２の内部に連続している。挿入部２２は、可撓性を有するケーブル状の部位であり、曲がった孔の内部にも挿入しやすい態様に構成されている。
【００３８】
挿入部２２の先端部２２ａに備えられる画像取り込み部２４は、図示しない対物レンズを備えており、本体部２１および挿入部２２に内蔵される図示しないファイバ芯線の一端部が該対物レンズに接続されている。これにより、対物レンズの視野に存在する光（画像）をファイバ芯線を介して本体部２１に伝達することができる。
【００３９】
そして、本体部２１に伝達された画像は、マウント部１９を介して本体部２１に接続するラインセンサカメラ２０に伝達される。
これにより、画像取り込み部２４の視野の画像をラインセンサカメラ２０によって、撮影することができる構成としている。
【００４０】
また、挿入部２２の先端部２２ａに備えられる光源部２５は、先端部２２ａの外部に露出する透明体によって形成されており、本体部２１および挿入部２２に内蔵される図示しないファイバ芯線の一端部が光源部２５に接続され、他端部には、光源装置２３が接続される構成としている。そして、光源装置２３によって発生させた光を、ファイバ芯線を介して光源部２５に伝達することによって、光源部２５から光を照射することができる構成としている。これにより、外部からの光が届きにくい給油孔３の内面に対して光源部２５から光を照射することができ、給油孔３の内部において、撮影に適した照度を確保することができる。
【００４１】
図５（ａ）に示す如く、サヤ管１７は、可撓性がある挿入部２２の姿勢を直線状に保持する役割を果たす部位であり、本体部１７ａ、取付部１７ｂ、キャップ１７ｃ等からなる構成としている。
【００４２】
また、図５（ｂ）に示す如く、本体部１７ａは、細管状の部材であり、挿入部２２が挿通可能な径である挿通孔１７ｄが形成されている。また、取付部１７ｂは、ファイバースコープ１６から挿入部２２が突出する部位の形状に合わせて挿通孔１７ｄに比して拡径された部位である拡径部１７ｅが形成されている。
【００４３】
キャップ１７ｃは、サヤ管１７の先端部分に設けられる部位であり、挿入部２２の先端部２２ａをサヤ管１７から外部に露出させるとともに、保持することができる保持孔１７ｆが形成されている。本実施例では、保持孔１７ｆは、キャップ１７ｃの軸心から距離ａだけオフセットさせた位置に形成されており、該キャップ１７ｃが本体部１７ａに装着された状態において、保持孔１７ｆの軸心がサヤ管１７の軸心に対して距離ａだけオフセットする構成としている。また、キャップ１７ｃに形成される保持孔１７ｆは、図５（ｃ）に示すように、サヤ管１７の軸心に対して傾斜させた態様で形成することも可能である。
【００４４】
このように、キャップ１７ｃに保持孔１７ｆを形成し、該保持孔１７ｆによって、挿入部２２（先端部２２ａ）を保持する構成とすることにより、容易かつ確実に、画像取り込み部２４および光源部２５を、給油孔３の軸心に対してオフセットさせることが可能になる。
尚、ここで言うオフセットとは、基準となる軸芯（ここでは、給油孔３の軸心およびキャップ１７ｃの軸心）に対して、対象部位（ここでは、保持孔１７ｆ、先端部２２ａ、画像取り込み部２４、光源部２５等）がその軸心上に位置していない状態にあることを意味している。
【００４５】
またキャップ１７ｃは、ハレーションを防止するために必要なオフセット量を確保するための役割を果たす部位となっている。
図６に示す如く、給油孔３およびキャップ１７ｃの直径をそれぞれＲおよびｒ、保持孔１７ｆのサヤ管１７の軸心に対するオフセット量をａ、係るオフセット量の下限値をｚとするとき、キャップ１７ｃの直径ｒを、以下の数式１を満たす値に設定するようにしている。
オフセット量が小さいと、ハレーションを効果的に防止することができないため、一定値以上のオフセット量を安定的に確保することが望ましいためである。
【００４６】
【数１】
2011008020.tif 000003
【００４７】
これにより、例えば、ガイドブッシュ１１の軸心が、給油孔３の軸心に対してオフセットしていたり、あるいは、傾斜していたりする場合であっても、キャップ１７ｃが給油孔３の内面に接触した状態でのオフセット量は最低限確保することができるため、安定的にハレーションを防止することが可能になる。
【００４８】
即ち、本発明の一実施例に係る検査用プローブ７は、先端部２２ａを、サヤ管１７において該サヤ管１７の軸心からオフセットして形成する先端部２２ａを保持するための保持孔１７ｆに挿通して、保持するものである。
このような構成により、挿入部２２を給油孔３の軸心に対して容易にオフセットさせることができる。
【００４９】
そして、検査装置１では、このようなサヤ管１７とファイバースコープ１６を取付治具１８を用いて一体化する構成としている。
図７および図８に示す如く、ファイバースコープ１６の挿入部２２をサヤ管１７の挿通孔１７ｄに挿通した状態で、該サヤ管１７を取付治具１８の挿通孔１８ｃに挿通する。そして、サヤ管１７をボルト孔１８ａ・１８ａに螺合されるボルト１８ｂ・１８ｂを用いて締結することによって、サヤ管１７とファイバースコープ１６を一体化する構成としている。
【００５０】
また、取付治具１８は、支持ステー１８ｅを備えており、該支持ステー１８ｅの取付部１８ｆには孔１８ｇが形成されている。そして、孔１８ｇを利用して、孔１８ｇにボルト１８ｈを挿通した状態で、介設部材１５に対してボルト１８ｈを螺合し、取付治具１８を介設部材１５に固定する構成としている。これにより、ファイバースコープ１６が介設部材１５に対して固定されるため、回転駆動装置６によって、ファイバースコープ１６が回転駆動されるときに、サヤ管１７を含む検査用プローブ７を一体的に回転させることができる。
【００５１】
ここで、光源部２５による照明光の照射状態について、図９および図１０を用いて説明をする。
図１０（ａ）に示す如く、従来は、キャップ１７ｃに形成される保持孔１７ｆがサヤ管１７の軸心に対してオフセットされていなかったため、給油孔３の内面を撮影しようとする場合には、サヤ管１７を、該サヤ管１７の軸心を給油孔３の軸心に沿うようにして挿入すると、挿入部２２を、その軸心が給油孔３の軸心に沿うようにして挿入されていた。このとき、画像取り込み部２４および光源部２５は、給油孔３の軸心から画像取り込み部２４の視野の方向にオフセットされた状態に配置される。
【００５２】
この場合、光源部２５から給油孔３の内面に照射された光は、給油孔３の軸心から放射状に照射され、給油孔３の内面で反射した光の一部（図１０（ｂ）中においてパターン模様を付加した部分）は、直接的に画像取り込み部２４に入射する。そして、この直接的に画像取り込み部２４に入射した光がハレーションを発生させる原因となっている。
【００５３】
一方、図９に示す如く、本発明の一実施例に係る検査用プローブ７を用いて、給油孔３の内面を撮影しようとする場合には、サヤ管１７を、該サヤ管１７の軸心を給油孔３の軸心に沿うようにして挿入すると、画像取り込み部２４および光源部２５は、給油孔３の軸心から画像取り込み部２４の視野の方向に対して垂直な方向にオフセットされた状態に配置される。
【００５４】
この場合、光源部２５から給油孔３の内面に照射された光は、給油孔３の軸心から放射状に照射されるが、給油孔３の内面で反射した光は拡散し、直接的に画像取り込み部２４に入射することがない。よって、このとき画像取り込み部２４によって取り込まれた画像には、ハレーションが発生することがなく、さらに、給油孔３の内部において撮影に十分な照度を確保することができるため、検査用プローブ７によって、良好な撮影条件下で給油孔３の内面の画像を撮影することができる。
【００５５】
即ち、本発明の一実施例に係る検査用プローブ７は、可撓性を有するケーブル状の部位であり撮影対象たる給油孔３に挿入される挿入部２２を有するファイバースコープ１６と、挿入部２２が挿通可能な孔である挿通孔１７ｄが形成されるサヤ管１７と、を備え、挿入部２２の先端部２２ａには、給油孔３の内面の映像を取り込むための部位であって、挿入部２２の軸心方向に対して、略垂直な方向に視野を有する画像取り込み部２４と、給油孔３の内面に光を照射するための部位であって、画像取り込み部２４の視野に対して、光を照射する光源部２５とが備えられ、挿入部２２を、挿通孔１７ｄに挿通するとともに、サヤ管１７によって、画像取り込み部２４と光源部２５とが配置される挿入部２２の先端部２２ａを、サヤ管１７の軸心から、前記視野の方向に対して垂直な方向にオフセットした状態でサヤ管１７の外部に露出させて保持するものである。
このような構成により、給油孔３の内面を光源部２５によって十分な照度で照らし出すことができるとともに、光源部２５から照射した光が、給油孔３の内面で反射して直接画像取り込み部２４に入射することが確実に防止できる。これにより、ハレーションの発生が防止でき、給油孔３の内面の状態を的確に把握することができる。
【００５６】
次に、本発明の一実施例に係る検査装置１による給油孔３の内面の撮影状況について、図１１を用いて説明をする。
図１１に示す如く、例えば、給油孔３の長さがＬである場合、まず始めに、回転駆動装置６によって、画像取り込み部２４の視野が０°の方向となるように検査用プローブ７の回転位相を調整しておく。尚、このとき画像取り込み部２４は、サヤ管１７の軸心（即ち、回転中心）に対して、一定距離ａだけオフセットされた状態に保持されている。
【００５７】
次に、検査用プローブ７の回転位相を保持した状態で、往復変位装置５によって、画像取り込み部２４が、給油孔３の入口（即ち、長さ０の部位）から出口（即ち、長さＬの部位）まで変位するように検査用プローブ７を変位させる。
【００５８】
これにより、検査装置１によって、給油孔３の０°方向の内面を全長Ｌに渉って撮影した画像（１）を取得することができる。そして、画像取り込み部２４をオフセットさせた状態で撮影した画像（１）には、ハレーションが発生しないため、画像（１）によれば、給油孔３の０°方向の視野における内面の状態を的確に把握することができる。
【００５９】
そして、回転駆動装置６によって、検査用プローブ７の回転位相を４５°ずつ変更しつつ（即ち、画像取り込み部２４の視野が、４５°・９０°・１３５°・１８０°・２２５°・２７０°・３１５°の各方向となるように検査用プローブ７の回転位相を保持しつつ）、各状態で、往復変位装置５によって、画像取り込み部２４が、給油孔３の入口（即ち、長さ０の部位）から出口（即ち、長さＬの部位）まで変位するように検査用プローブ７を変位させて、さらに７回の撮影を行う。
【００６０】
これにより、検査装置１によって、給油孔３内部の全周方向に対して、内面を全長Ｌに渉って撮影した合計８個の画像（１）〜（８）を取得することができる。そして、この画像（１）〜（８）は、制御装置８に取り込まれる。
尚、本実施例では、検査用プローブ７の回転位相を４５°ずつずらして給油孔３内の画像を８分割して撮影する場合を例示しているが、給油孔３内を撮影した画像の分割数（即ち、検査用プローブ７の回転位相をずらす角度）は、給油孔３の径や使用するファイバースコープ１６の撮影可能範囲（視野角度）に基づいて決定されるため、８分割以外の分割数となる場合もあり、本発明に係る検査装置により撮影する画像の分割数を本実施例の態様に限定するものではない。
【００６１】
そして、これらの合計８個の画像（１）〜（８）を、制御装置８によって画像処理し、結合することによって、給油孔３の内面を表す画像の展開図Ｘを生成することができる。
そして、この展開図Ｘを用いることによって、給油孔３の内面における傷の有無や残留物の有無、あるいは、欠陥がある場合におけるその欠陥の位置等、を一目瞭然に確認することができ、給油孔３の内面の検査を的確に行うことが可能になる。
【００６２】
即ち、本発明の一実施例に係る検査装置１は、検査用プローブ７と、該検査用プローブ７を、サヤ管１７の軸心方向に往復変位させる往復変位手段である往復変位装置５と、検査用プローブ７を、サヤ管１７の軸心周りに回転させる回転駆動手段である回転駆動装置６と、を備えるものである。
このような構成により、ハレーションの発生がない状態で給油孔３の内面の画像を撮影することができ、的確に給油孔３の内面の状態を検査することができる。
【符号の説明】
【００６３】
１    検査装置
３    給油孔
５    往復変位装置
６    回転駆動装置
７    検査用プローブ
１６  ファイバースコープ
１７  サヤ管
２４  画像取り込み部
２５  光源部
【図１】
2011008020.tif 000004
【図２】
2011008020.tif 000005
【図３】
2011008020.tif 000006
【図４】
2011008020.tif 000007
【図５】
2011008020.tif 000008
【図６】
2011008020.tif 000009
【図７】
2011008020.tif 000010
【図８】
2011008020.tif 000011
【図９】
2011008020.tif 000012
【図１０】
2011008020.tif 000013
【図１１】
2011008020.tif 000014